(57)【要約】【課題】光源から照射された光が鏡に当たらず、視野外から効率的に鏡の前に立つ使用者の顔に光を当てるとともに、天井にも光を当ててその反射光により部屋を間接的に照明して眩しさを緩和できる照明器具を提供する。【解決手段】立面１１に取り付けられた鏡１２の近傍に、立面１１とは反対側に向けて光を出射する線状の光源３０が取り付けられ、光源３０に入射端面４３を向けて帯板状の導光部材４０Ａが設けられている。導光部材４０Ａの第１面４１は平坦面であり、第１面４１と反対側の第２面４２には、複数のリブ４６が設けられている。リブ４６は、光源３０が線状に連続する方向に対して平行に設けられている。このため、光源３０から発せられた光は、入射端面４３から導光部材４０Ａに入射し、導光部材４０Ａ内部を導光されながら第１面４１および第２面４２から出射されるので、光源３０からの強い光が直接使用者の目に入るのを防止できる。【選択図】図２
2015079703.tif 000002
【特許請求の範囲】
【請求項１】
立面に沿うとともに、前記立面に沿って取り付けられた鏡の近傍に配置され、前記立面とは反対側に向けて光を出射する線状の光源と、
前記光源に入射端面を向けて配置される帯板状の導光部材と、
前記導光部材における前記入射端面に対して交差するとともに、前記導光部材の厚み方向に対して交差する第１面に設けられた平坦面と、
前記第１面に対して反対側を向く第２面に設けられた複数のリブとを備え、
前記各リブは前記光源の連続方向に対して平行である照明器具。
【請求項２】
請求項１に記載の照明器具において、
前記光源が前記立面の面方向に沿って水平に配置され、
前記第２面が前記鏡とは反対側に向けて前記導光部材が配置される照明器具。
【請求項３】
請求項１または請求項２に記載の照明器具において、
前記入射端面とは反対側の開放端面が前記第１面および前記第２面に対して交差するとともに、前記第１面側の稜線よりも前記第２面側の稜線が前記入射端面に対して突出する斜面である照明器具。
【発明の詳細な説明】
【技術分野】
【０００１】
本発明は、立面に取り付けられた光源からの光を導光部材を介して照射する照明器具に関するものである。
【背景技術】
【０００２】
従来、壁面等の立面に取り付けられたＬＥＤ光源からの光を、導光部材を介して照射する照明器具が知られている（例えば、特許文献１参照）。
図１１（Ａ）および図１１（Ｂ）に示すように、特許文献１に記載の照明器具（照明装置）１００は、浴室ユニット１０１の天井１０２に取り付けて使用される。
天井１０２は、２枚の天井材１０３で構成されており、両天井材１０３の間には、天井裏に突出して下面が浴室内に露出する２枚の保持片１０４が取り付けられている。照明器具１００は、２枚の保持片１０４の間に保持される。
【０００３】
照明器具１００は、長尺な直方体形状の導光部材（導光材）１０５が、２枚の保持片１０４の間に保持されており、導光部材１０５の下端面が、天井１０２から浴室内に露出する。
導光部材１０５の上部には、導光部材１０５の上端面に対向するＬＥＤ光源１０７を有する光源ユニット１０６が取り付けられている。
従って、光源ユニット１０６のＬＥＤ光源１０７から発せられた光は、導光部材１０５の上端面に入射され、導光部材１０５の下端面から浴室内に照射される。これにより、浴室内は、直線状の照明器具１００によって照明される。
【先行技術文献】
【特許文献】
【０００４】
【特許文献１】特開２０１１−２３３２４０号公報
【発明の概要】
【発明が解決しようとする課題】
【０００５】
前述した特許文献１に記載の従来の照明器具においては、導光部材の上端面から入射した光を下端面から出射させて、浴室ユニット等の浴室内を照明する。このとき、下端面から出射した光が浴室ユニット等の壁面に設けられている鏡に直接当たって反射したり、光源自体が鏡に映り込んだりすると、鏡の使用者が眩しさを感じてしまうため、このまぶしさを低減したいという要望がある。
しかしながら、その一方で、使用者の顔には光を当てて、見やすくしたいという要望もあり、これら両方の要望を満たす照明が望まれている。
このような要望を満たす照明としては、鏡の前に立つ使用者の顔のみに光をスポット的に照射するよりも、光を分散させ部屋全体を明るくすることで、眩しさを緩和することが好ましいと思われる。
【０００６】
本発明は、従来の問題を解決するためになされたもので、光源から照射された光が鏡に当たらず、視野外から効率的に鏡の前に立つ使用者の顔に光を当てるとともに、天井にも光を当ててその反射光により部屋を間接的に照明して眩しさを緩和できる照明器具を提供することを目的とする。
【課題を解決するための手段】
【０００７】
本発明の照明器具は、立面に沿うとともに、前記立面に沿って取り付けられた鏡の近傍に配置され、前記立面とは反対側に向けて光を出射する線状の光源と、前記光源に入射端面を向けて配置される帯板状の導光部材と、前記導光部材における前記入射端面に対して交差するとともに、前記導光部材の厚み方向に対して交差する第１面に設けられた平坦面と、前記第１面に対して反対側を向く第２面に設けられた複数のリブとを備え、前記各リブは前記光源の連続方向に対して平行であるものである。
【０００８】
また、本発明の照明器具は、前記光源が立面の面方向に沿って水平に配置され、前記第２面が前記鏡とは反対側に向けて前記導光部材が配置されるものである。
【０００９】
さらに、本発明の照明器具は、前記入射端面とは反対側の開放端面が前記第１面および前記第２面に対して交差するとともに、前記第１面側の稜線よりも前記第２面側の稜線が前記入射端面に対して突出する斜面であるものである。
【発明の効果】
【００１０】
本発明では、光源から発せられた光は、入射端面から導光部材に入射し、導光部材内部を導光されながら導光部材の厚み方向に対して交差する第１面および第２面から出射されるので、上下に分散される。このため、光源から照射された光が鏡に当たらず、視野外から効率的に鏡の前に立つ使用者の顔に光を当てるとともに、天井にも光を当ててその反射光により部屋を間接的に照明して眩しさを緩和できるという効果を有する照明器具を提供できる。
【図面の簡単な説明】
【００１１】
【図１】本発明に係る第１実施形態の照明器具の使用状態を示す斜視図
【図２】本発明に係る第１実施形態の照明器具の断面図
【図３】図２中ＩＩＩ方向から見た平面図
【図４】導光部材から照射される光の強度を示すグラフ
【図５】導光部材から出射される光の経路を示す説明図
【図６】（Ａ）は本発明に係る第２実施形態の照明器具における導光部材の第２面を上に向けた場合の側面図であり、（Ｂ）は導光部材の第２面を下に向けた場合の側面図
【図７】本発明に係る第３実施形態の照明器具における導光部材の側面図
【図８】リブの形状の変形例を示す導光部材の断面図であり、（Ａ）は山型形状の場合、（Ｂ）は鋸刃形状の場合、（Ｃ）はリブ間隔を変える場合
【図９】本発明に係る実施形態の照明器具の変形例を示す斜視図
【図１０】（Ａ）は第２面を上に向けた導光部材における光の経路を示す側面図であり、（Ｂ）は第２面を下に向けた導光部材における光の経路を示す側面図
【図１１】（Ａ）は従来の照明器具の取り付け構造を示す斜視図であり、（Ｂ）は（Ａ）中のＢ−Ｂ位置の断面図
【発明を実施するための形態】
【００１２】
（第１実施形態）
以下、本発明に係る第１実施形態の照明器具について、図面を用いて説明する。
図１および図２に示すように、第１実施形態の照明器具１０Ａは、洗面所やユニットバス内部等に用いられる洗面台ユニット１４において用いることができる。
洗面台ユニット１４は、洗面台１５を有しており、洗面台１５の後方には壁面（立面）１１を有する。壁面１１には、鏡１２が壁面１１の面方向に沿って取り付けられており、鏡１２の上方（近傍）に照明器具１０Ａを取り付けて使用することができる。
なお、以下の説明においては、照明器具１０Ａを、洗面台ユニット１４の壁面１１に取り付けられた鏡１２の上方に取り付けた状態で、鏡１２側を「下」、鏡１２と反対側を「上」、壁面１１側を「後」、壁面１１と反対側を「前」として説明する。
【００１３】
照明器具１０Ａは、壁面１１に取り付けられる略矩形箱状の器具本体２０を有する。
器具本体２０は、壁面１１に取り付けられる後板２１と、後板２１の前方に対向する前板２２を有する。後板２１と前板２２は、上板２３および下板２４で連結されている。
後板２１の前面には、光源３０が取り付けられている。光源３０は、後板２１の長手方向の略全長にわたって設けられている全体矩形状のＬＥＤ基板３１を有しており、ＬＥＤ基板３１には、長手方向（図２において紙面直交方向）に沿って複数個のＬＥＤ３２が直線状に配置されて実装されている。
これにより、光源３０は、壁面１１とは反対側の前方に向かって、直線状に光を照射する。
なお、器具本体２０は、壁面１１に水平に取り付けられるので、光源３０は水平に配置され、水平面状に直線状の光を発する。
【００１４】
器具本体２０の内部には、山型形状の支持部材２５が、上下のねじ２６により取り付けられている。
支持部材２５の上下方向中央部には、帯板状の導光部材４０Ａの一端部を支持する導光部材支持部２５１が設けられている。
従って、一端部を支持部材２５に支持された導光部材４０Ａは、器具本体２０の前板２２に長手方向略全長にわたって設けられている開口部２２１から、器具本体２０の前方に突出している。
【００１５】
導光部材４０Ａは、帯板状を呈しており、導光部材４０Ａの厚み方向（すなわち、上下方向）に対して交差する水平面である第１面４１と、第１面４１に対して水平な第２面４２を有する。
第２面４２は、鏡１２とは反対側、すなわち、上方に向けて配置されており、第１面４１は下方に向けて配置されている。
第１面４１は平坦面であり、第２面４２の表面には、複数のリブ４６が設けられている。
【００１６】
リブ４６は、例えば、ＬＥＤ基板３１に対して平行に延びる円柱の一部を前後方向に隙間なく並べて形成することができる。リブ４６は、導光部材４０Ａの長手方向（図３において左右方向）の全長に設けられている（図３参照）。
なお、第２面４２において器具本体２０の内部に挿入されて支持部材２５で支持される端部（前端部）には、リブ４６を設ける必要はない。
【００１７】
従って、図４に示すように、導光部材４０Ａの第１面４１から下方に照射される光は配光制御されており、鏡１２に向かう光が少なくなっている。また、第２面４２から照射される光は、第1面４１の配光と同様に、天井面１３に照射される。
これにより、図５に示すように、導光部材４０Ａの第１面４１から下方に照射される光は、配光制御されて鏡１２と反対側に多く照射されているので、鏡１２からの反射光による使用者Ｍの眩しさを減少させることができる。
また、導光部材４０Ａの第２面４２において、光の一部は、リブ４６で屈折し天井面１３に照射され、天井面１３で反射して間接照明として上方から使用者Ｍを照らすので、眩しさを減少させることができる。
【００１８】
図２に示すように、導光部材４０Ａの一端面（後端面）は、ＬＥＤ３２の前方で、ＬＥＤ基板３１の全長にわたって略平行に設けられる入射端面４３である。
入射端面４３には、光学フィルム４４が取り付けられており、ＬＥＤ３２からの光を拡散して導光部材４０Ａに入射させ、ＬＥＤ３２の粒々感を減少させている。
これにより、導光部材４０Ａから照射された光が使用者Ｍの目に入っても、眩しさを減少させることができる（図５参照）。
【００１９】
また、導光部材４０Ａの他端面である開放端面４５は、第１面４１および第２面４２と交差する傾斜面となっている。
開放端面４５は、第１面４１側の稜線４１１よりも第２面４２側の稜線４２１が前方に突出するように傾斜している。開放端面４５の傾斜角度θは、例えば、４５°程度とすることができる。
従って、導光部材４０Ａの内部を導光されて先端に達した光は、傾斜した開放端面４５で反射して上方に照射されるので、上方に照射される光が多くなる（図５参照）。
【００２０】
次に、実施形態の照明器具１０Ａの作用効果について説明する。
壁面１１に取り付けられた鏡１２の近傍（ここでは、上側）に、壁面１１とは反対側の前方に向けて光を出射する線状の光源３０が取り付けられている。光源３０の前方には、入射端面４３が光源３０に向けられている帯板状の導光部材４０Ａが設けられている。導光部材４０Ａの厚み方向に対して交差する第１面４１は平坦面であり、第１面４１に対して反対側（ここでは、上側）を向く第２面４２には、複数のリブ４６が設けられている。リブ４６は、光源３０が線状に連続する方向に対して連続して設けられるとともに、前方に平行して設けられている。
【００２１】
このため、光源３０から発せられた光は、入射端面４３から導光部材４０Ａに入射し、導光部材４０Ａ内部を導光されながら第１面４１および第２面４２から出射されるので、光源３０からの強い光が直接鏡１２に照射されるのを防止できる。
また、鏡１２の上方の視野外から鏡１２の前に立つ使用者Ｍの顔に光が照射されるのでまぶしさを低減でき、効率よく使用者Ｍの顔を照らすことができる。
また、第１面４１および第２面４２から出射される光は、上下に分かれて出射されるので、眩しさを緩和することができるとともに、天井面１３に照射された光が天井面１３で反射して、部屋を間接的に照明することができる。
また、第２面４２には複数のリブ４６が設けられているので、第２面４２から出射される光の配光を変えることができる。
また、リブ４６は、光源３０の連続方向に対して平行に設けられているので、導光部材４０Ａはこの方向に押し出し成形することができ、製作が容易になる。
【００２２】
また、照明器具１０Ａは、光源３０が壁面１１の面方向に沿って水平に配置され、第２面４２が鏡１２とは反対側に向けて導光部材４０Ａが配置されている。
このため、第２面４２から照射される光は鏡１２に照射されず、天井面１３に向けて照射され、反射して部屋を間接光により照明することができる。
【００２３】
さらに、照明器具１０Ａは、入射端面４３とは反対側の開放端面４５が、第１面４１および第２面４２に対して交差するとともに、第１面４１側の稜線４１１よりも第２面４２側の稜線４２１が入射端面４３に対して突出するように斜面している。
このため、導光部材４０Ａを通った光は、開放端面４５において第２面４２側に反射して、照射されるので、第２面４２側に多く光を照射できる。
【００２４】
（第２実施形態）
次に、第２実施形態の照明器具について、図面を用いて説明する。
なお、前述した第１実施形態の照明器具１０Ａと共通する部位には同じ符号を付して、重複する説明を省略することとする。
図６（Ａ）および図６（Ｂ）に示すように、第２実施形態の照明器具１０Ｂに用いられる導光部材４０Ｂでは、第１面４１は先端に向かって上昇しており、第２面４２は先端に向かって下降しており、先細りの楔形状を呈している。
そして、図６（Ａ）では、第２面４２を上向きに設け、図６（Ｂ）では、第２面４２を下向きに設けた。
【００２５】
このようにしても、前述した第１実施形態の照明器具１０Ａと同様に、光源３０から発せられた光は、上下に分散される。
このため、光源３０から照射された光が鏡１２に当たらず、視野外から効率的に鏡１２の前に立つ使用者Ｍの顔に光を当てるとともに、天井面１３にも光を当ててその反射光により部屋を間接的に照明して眩しさを緩和することができる。
さらに、第２実施形態の照明器具１０Ｂによれば、第１面４１および第２面４２の全面から略均一に光を照射することができる。
【００２６】
（第３実施形態）
次に、第３実施形態の照明器具について、図面を用いて説明する。
なお、前述した第１実施形態の照明器具１０Ａおよび第２実施形態の照明器具１０Ｂと共通する部位には同じ符号を付して、重複する説明を省略することとする。
図７に示すように、第３実施形態の照明器具１０Ｃに用いられる導光部材４０Ｃでは、第２面４２にリブ４６を設ける代わりに、透過部４７１と不透過部４７２とを交互に配置した印刷部４７を設けた。印刷部４７は、ドット（点）等であり、ドットにより、透過部と不透過部とを形成している。なお、ドット以外にライン状の不透過部としてもよい。また、透過率はドット等の不透過部を、粗くあるいは密に適宜印刷し調整するようにしてもよい。
【００２７】
このため導光部材４０Ｃ内部に導光された光のうち、透過部４７１に到達した光は全反射により導光され、不透過部４７２に到達した光のうちの一部の光は拡散透過し、導光斜め方向に出射され、それ以外の光は拡散反射し、界面での屈折を経由して、導光斜め方向に出射される。なお、導光斜め方向とは図４に示す配光を意味する。また、不透過部４７２はわずかでも不透過、すなわち透過率が透過部４７１よりも低ければ良いが、不透過部４７２の透過率が高すぎる（透過部４７１の透過率に近い）と効果を得られなくなるので、不透過部４７２の透過率は、透過部４７１に対して約５０％以下の透過率を有することが好ましい。
【００２８】
このようにしても、前述した第１実施形態の照明器具１０Ａおよび第２実施形態の照明器具１０Ｂと同様に、光源３０から発せられた光は、上下に分散される。
このため、光源３０から照射された光が鏡１２に当たらず、視野外から効率的に鏡１２の前に立つ使用者Ｍの顔に光を当てるとともに、天井面１３にも光を当ててその反射光により部屋を間接的に照明して眩しさを緩和することができる。
さらに、印刷はリブ４６の形成に比して自由度が高いため、種々の形態で印刷することができ、配光の自由度が向上する。
【００２９】
本発明の照明器具は、前述した各実施形態に限定されるものでなく、適宜な変形、改良等が可能である。
なお、以下の説明においては、第１実施形態の照明器具１０Ａないし第３実施形態１０Ｃにおいて、照明器具１０Ａ、１０Ｂ、１０Ｃは「照明器具１０」と、導光部材４０Ａ、４０Ｂ、４０Ｃは「導光部材４０」と総称する。
前述した各実施形態においては、粒状のＬＥＤ３２を直線状に配置した光源３０について例示したが、本発明は直線状のライン型のＬＥＤを用いることもできる。
【００３０】
また、前述した各実施形態においては、洗面台ユニット１４の壁面１１に鏡１２が取り付けられている場合について例示したが、この他、洗面所の壁、ユニットバスの内壁、ドレッサー、玄関の鏡、玄関シューズボックスの扉の鏡等についても適用可能である。
【００３１】
また、前述した各実施形態においては、導光部材４０の第２面４２に設けたリブ４６の断面形状が同じ大きさの円弧状である場合について例示したが、これに限らず、種々の形状を採用することができる。
図８（Ａ）には、山型形状のリブ４６１を用いた場合を示す。また、図８（Ｂ）には、鋸刃状のリブ４６２を用いた場合を示す。
また、前述したリブ４６、４６１、４６２では、等間隔で設けた場合を示したが、リブ間隔を、先端（前側）に行くほど小さくすることもできる。
この際、図８（Ｃ）に示すように、リブ４６の形状自体を相似形で小さくすることにより、間隔を小さくすることができる。
【００３２】
さらに、図９には、前述した照明器具１０の変形例が示されている。
図９に示す照明器具１０では、導光部材４０を支持する器具本体２０Ａの長さが、導光部材４０の長さに比して小さく、導光部材４０の中央部のみを支持している。
なお、導光部材４０の入射端面４３側には、ＬＥＤ基板３１およびＬＥＤ３２を有する光源３０Ａが一体的に設けられている。光源３０Ａの長さは、導光部材４０の略全長にわたっている。
このようにしても、前述した照明器具１０と同様の作用・効果を得ることができる。
【００３３】
また、前述した各実施形態においては、洗面台ユニット１４の壁面１１に、リブ４６が設けられた第２面４２を上に向けて導光部材４０を取り付けた場合を例示した（図２および図１０（Ａ）参照）。これに代わり、図１０（Ｂ）に示すように、第２面４２を下に向けて導光部材４０を取り付けることも可能である。
すなわち、第１面４１側と第２面４２側とでは、配光制御が若干異なるが、全体として同様に光を照射できる。
このため、いずれの場合でも、鏡１２への光の照射を減らして使用者Ｍに照明を当てることができ、使用者Ｍの眩しさを減少させることができるとともに、間接照明により、まぶしさを抑えた、やわらかな照明を得ることができる。
【符号の説明】
【００３４】
１０Ａ、１０Ｂ、１０Ｃ  照明器具
１１  壁面（立面）
１２  鏡
１５  洗面台
３０  光源
４０Ａ、４０Ｂ、４０Ｃ  導光部材
４１  第１面
４１１  第１面側の稜線
４２  第２面
４２１  第２面側の稜線
４３  入射端面
４５  開放端面
４６  リブ
【図１】
2015079703.tif 000003
【図２】
2015079703.tif 000004
【図３】
2015079703.tif 000005
【図４】
2015079703.tif 000006
【図５】
2015079703.tif 000007
【図６】
2015079703.tif 000008
【図７】
2015079703.tif 000009
【図８】
2015079703.tif 000010
【図９】
2015079703.tif 000011
【図１０】
2015079703.tif 000012
【図１１】
2015079703.tif 000013